(57)【特許請求の範囲】
【請求項１】
データを入力する入力手段と、
前記入力手段により入力された入力データからオーディオ属性情報を検出する検出手段と、
前記入力データに含まれるオーディオ情報及び前記オーディオ属性情報を所定のフォーマットで記録する記録手段と、
を備え、
前記検出手段は、マスタークロックにより、前記入力データに含まれるＬＲクロックの第１の半周期の長さ及びこの第１の半周期の後続の第２の半周期の長さを検出し、両半周期の長さを比較し両半周期の長さの違いをチェックし、長さ検出結果に基づき前記オーディオ属性情報に該当するサンプリング周波数に関する情報を検出する、
ことを特徴とする情報記録装置。
【請求項２】
前記所定のフォーマットは、管理ファイル及びオーディオファイルを含み、
前記管理ファイルは、前記オーディオ属性情報を含み、
前記オーディオファイルは、前記オーディオ情報を含む、
ことを特徴とする請求項１に記載の情報記録装置。
【請求項３】
前記所定のフォーマットは、管理ファイル及びオーディオファイルを含み、
前記管理ファイルは、ストリーム情報を含み、
前記ストリーム情報は、前記オーディオ属性情報を含み、
前記オーディオファイルは、前記オーディオ情報を含む、
ことを特徴とする請求項１に記載の情報記録装置。
【請求項４】
前記所定のフォーマットは、管理ファイル及びオーディオファイルを含み、
前記管理ファイルは、管理情報を含み、
前記オーディオファイルは、データ転送処理単位であるパックを含み、
前記パックは、前記オーディオ属性情報及び前記オーディオ情報を含む、
ことを特徴とする請求項１に記載の情報記録装置。
【請求項５】
前記検出手段は、前記入力データに含まれる複数のクロックに基づき前記オーディオ属性情報に該当するサンプリング周波数を検出することを特徴とする請求項１に記載の情報記録装置。
【請求項６】
前記検出手段は、前記入力データに含まれる前記オーディオ属性情報を検出することを特徴とする請求項１に記載の情報記録装置。
【請求項７】
前記オーディオ属性情報は、圧縮方式を示す情報、サンプリング周波数を示す情報、及びサンプリングビット幅を示す情報のうちの少なくとも１つの情報を含むことを特徴とする請求項１に記載の情報記録装置。
【請求項８】
入力データからオーディオ属性情報を検出し、前記入力データに含まれるオーディオ情報及び前記オーディオ属性情報を所定のフォーマットで記録する方法であって、
マスタークロックにより、前記入力データに含まれるＬＲクロックの第１の半周期の長さ及びこの第１の半周期の後続の第２の半周期の長さを検出し、
両半周期の長さを比較し両半周期の長さの違いをチェックし、長さ検出結果に基づき前記オーディオ属性情報に該当するサンプリング周波数に関する情報を検出する、
ことを特徴とする情報記録方法。
【請求項９】
前記所定のフォーマットは、管理ファイル及びオーディオファイルを含み、
前記管理ファイルは、前記オーディオ属性情報を含み、
前記オーディオファイルは、前記オーディオ情報を含む、
ことを特徴とする請求項８に記載の情報記録方法。
【請求項１０】
前記所定のフォーマットは、管理ファイル及びオーディオファイルを含み、
前記管理ファイルは、ストリーム情報を含み、
前記ストリーム情報は、前記オーディオ属性情報を含み、
前記オーディオファイルは、前記オーディオ情報を含む、
ことを特徴とする請求項８に記載の情報記録方法。
【請求項１１】
前記所定のフォーマットは、管理ファイル及びオーディオファイルを含み、
前記管理ファイルは、管理情報を含み、
前記オーディオファイルは、データ転送処理単位であるパックを含み、
前記パックは、前記オーディオ属性情報及び前記オーディオ情報を含む、
ことを特徴とする請求項８に記載の情報記録方法。
【請求項１２】
前記入力データに含まれる複数のクロックに基づき前記オーディオ属性情報に該当するサンプリング周波数を検出することを特徴とする請求項８に記載の情報記録方法。
【請求項１３】
前記入力データに含まれる前記オーディオ属性情報を検出することを特徴とする請求項８に記載の情報記録方法。
【請求項１４】
前記オーディオ属性情報は、圧縮方式を示す情報、サンプリング周波数を示す情報、及びサンプリングビット幅を示す情報のうちの少なくとも１つの情報を含むことを特徴とする請求項８に記載の情報記録方法。
【発明の詳細な説明】
【０００１】
【発明の属する技術分野】
この発明は、ＤＶＤ−ＲＡＭなどの光ディスクに対してオーディオ情報を記録する情報記録装置及び情報記録方法に関する。
【０００２】
【従来の技術】
近年、映像や音声等のデータを記録した光ディスクを再生する動画対応の光ディスク再生装置が開発され、例えばＬＤやビデオＣＤなどの様に、映画ソフトやカラオケ等の目的で一般に普及されている。
【０００３】
その中で、現在、国際規格化したＭＰＥＧ２（Ｍｏｖｉｎｇ  Ｉｍａｇｅ  Ｃｏｄｉｎｇ  Ｅｘｐｅｒｔ  Ｇｒｏｕｐ）方式及びＡＣ３オーディオ圧縮方式を採用したＤＶＤ規格が提案された。
【０００４】
この規格は、ＭＰＥＧ２システムレイヤに従って動画圧縮方式にＭＰＥＧ２、音声にＡＣ３オーディオ及びＭＰＥＧオーディオをサポートし、さらに、字幕用としてビットマップデータをランレングス圧縮した副映像データ、早送り巻き戻しなどの特殊再生用コントロールデータ（ナビパック）を追加して構成されている。
【０００５】
さらに、この規格では、コンピュータでデータを読むことが出来るように、ＩＳＯ９６６０とマイクロＵＤＦをサポートしている。
【０００６】
また、メディア自身の規格としては、ＤＶＤ−ビデオで使用しているＤＶＤ−ＲＯＭの規格に続き、ＤＶＤ−ＲＡＭの規格も完成し、ＤＶＤ−ＲＡＭドライブもコンピュータ周辺機器として普及し始めている。
【０００７】
さらに、サンプリング周波数１９２ＫＨｚ、最大２４ビットで制限されるチャンネル数まで線形ＰＣＭ方式で記録しうるＤＶＤオーディオディスク装置も提案されている（特許文献１）
【特許文献１】
特開平１０−２０８４０３
【０００８】
【発明が解決しようとする課題】
しかしながら、現在のＤＶＤレコーダでは、高音質の入力信号に十分に対応できるものはなく、例えば、デジタル入力部から入力された高音質の入力信号に対応できないという問題があった。
【０００９】
この発明の目的は、上記したような事情に鑑み成されたものであって、高音質の入力信号をＤＶＤに記録することが可能な情報記録装置及び情報再生装置を提供することにある。
【００１０】
【課題を解決するための手段】
上記課題を解決し目的を達成するために、この発明の情報記録装置及び情報記録方法は、以下のように構成されている。
【００１１】
（１）この発明の情報記録装置は、データを入力する入力手段と、前記入力手段により入力された入力データからオーディオ属性情報を検出する検出手段と、前記入力データに含まれるオーディオ情報及び前記オーディオ属性情報を所定のフォーマット（ＤＶＤ−ＡＲに準拠したフォーマット）で記録する記録手段とを備えている。
【００１２】
（２）この発明の情報記録方法は、入力データからオーディオ属性情報を検出し、前記入力データに含まれるオーディオ情報及び前記オーディオ属性情報を所定のフォーマット（ＤＶＤ−ＡＲに準拠したフォーマット）で記録する。
【００１３】
【発明の実施の形態】
以下、この発明の実施の形態について図面を参照して説明する。
【００１４】
ＤＶＤには通常のファイル形式でデータが保存されている。さらに、タイトルは、たとえば、映画の一本分に相当し、一枚のディスクにこのタイトルが複数保存されている。このタイトルが集まったものをタイトルセットと言い、このタイトルセットは、複数のファイルで構成されている。
【００１５】
図２は、ＤＶＤディスク中のディレクトリ構造の一例を示す図である。図２に示すように、ＤＶＤディスク中には、規格ごとにディレクトリが存在する。例えば、ＤＶＤ−ビデオ規格に対応するＶＩＤＥＯ＿ＴＳのディレクトリ、ＤＶＤ−オーディオ規格に対応するＡＵＤＩＯ＿ＴＳのディレクトリ、ＲＴＲ（ＲｅａｌＴｉｍｅ  Ｒｅｃｏｒｄｉｎｇ）−ＤＶＤ規格に対応するＤＶＤ＿ＲＴＲのディレクトリ、ＤＶＤ−ＡＲ（Ａｕｄｉｏ  Ｒｅｃｏｒｄｉｎｇ）規格に対応するＡＵＤＩＯ＿ＲＴＲのディレクトリが存在する。各記録データは、これらディレクトリの中に存在している。
【００１６】
ＤＶＤ−ＡＲ規格は、高音質のオーディオデータを記録するための規格である。この規格では、以下がサポートされる。
・サンプリング周波数＝４８、９６、１９２（KHz）
・ビット幅＝１６、２０、２４（bits）
・チャンネル＝6（max）
図２に示すように、ＤＶＤ＿ＲＴＲのディレクトリは、ＶＲ＿ＭＡＮＧＲ．ＩＮＦ、ＶＲ＿ＭＯＶＩＥ．ＶＲＯ、ＶＲ＿ＳＴＩＬＬ．ＶＲＯ、ＶＲ＿ＡＵＤＩＯ．ＶＲＯ、ＶＲ＿ＭＡＮＧＲ．ＢＵＰを含んでいる。
【００１７】
ＡＵＤＩＯ＿ＴＳのディレクトリは、ＡＵＤＩＯ＿ＴＳ．ＩＮＦ、ＡＵＤＩＯ＿ＴＳ．ＢＵＰ、ＡＴＳ＿０１．ＩＮＦ、ＡＴＳ＿０１．ＡＯＢを含んでいる。
【００１８】
ＡＵＤＩＯ＿ＲＴＲのディレクトリは、ＡＲ＿ＭＡＮＧＲ．ＩＦＯ（管理ファイル）、ＡＲ＿ＡＵＤＩＯ．ＡＲＯ（オーディオファイル）、ＡＲ＿ＭＡＮＧＲ．ＢＵＰ（ＡＭＧバックアップファイル）を含んでいる。
【００１９】
例えば、ＤＶＤ−ビデオ規格では、１枚のディスクには、このディスク中のビデオデータを管理するための情報として、Ｖｉｄｅｏ  Ｍａｎａｇｅｒ（以降ＶＭＧと称する）と称するファイルが存在する。同様に、ＲＴＲ−ＤＶＤ規格では、１枚のディスクには、このディスク中のビデオデータを管理するための情報として、上記したＶＲ＿ＭＡＮＧＲ．ＩＮＦ（以降ＶＭＧと称する）と称するファイルが存在する。同様に、ＤＶＤ−ＡＲ規格では、１枚のディスクには、このディスク中のオーディオデータを管理するための情報として、ＡＲ＿ＭＡＮＧＲ．ＩＦＯ（以降ＡＭＧと称する）と称するファイルが存在する。
【００２０】
次に、図３を参照して、ＡＲ＿ＡＵＤＩＯ．ＡＲＯの詳細について説明する。図３は、ＡＲ＿ＡＵＤＩＯ．ＡＲＯに含まれるオーディオオブジェクトセット（ＡＯＢＳ）のデータ構造の概略を示す図である。１枚のＤＶＤに対してＤＶＤ−ＡＲ規格に準拠したオーディオデータを格納する場合、１枚のＤＶＤには１つのＡＲ＿ＡＵＤＩＯ．ＡＲＯが格納されることになる。
【００２１】
ＡＯＢＳは、複数のオーディオオブジェクト（ＡＯＢ）を含む。また、ＡＯＢは、複数のオーディオオブジェクトユニット（ＡＯＢＵ）を含む。また、ＡＯＢＵは、複数のオーディオパック（ＡＰＡＣＫ）を含む。或いは、ＡＯＢＵは、複数のビデオパック（ＶＰＡＣＫ）及び複数のオーディオパック（ＡＰＡＣＫ）を含む。各パックは、１つ以上のパケットとパックヘッダを含む。パックは、データ転送処理を行う最小単位である。さらに、論理上の処理を行う最小単位はセル単位で、論理上の処理はこの単位で行わる。
【００２２】
オーディオデータの再生する順番は、プログラムチェーン（ＰＧＣ）で定義され、このＰＧＣには複数のプログラム（ＰＧ）が登録され、このＰＧにはセルが登録され、さらにセルには再生すべき対象としてＡＯＢが登録されている。
【００２３】
ＰＧＣの構造を実際に記録してあるのが、プログラムチェーンインフォメーション（ＰＧＣＩ）である。再生処理は、ＰＧＣＩにしたがって行われ、記録時または編集時にＰＧＣＩを作成することになる。
【００２４】
また、録再可能ＤＶＤでは、記録順に再生するための特別なＰＧＣをオリジナルＰＧＣと称し、このオリジナルＰＧＣの情報はＯＲＧ＿ＰＧＣＩに記録されている。
【００２５】
次に、図４を参照して、ＡＲ＿ＭＡＮＧＲ．ＩＦＯ（ＡＭＧ）の詳細について説明する。図４は、ＡＭＧのデータ構造の概略を示す図である。ＡＭＧは、ＲＴＲオーディオマネジャーインフォメーション（ＲＴＲ＿ＡＭＧＩ）、ＡＶファイルインフォメーションテーブル（ＡＶＦＩＴ）、オリジナルＰＧＣインフォメーション（ＯＲＧ＿ＰＧＣＩ）、ユーザディファインドＰＧＣインフォメーションテーブル（ＵＤ＿ＰＧＣＩＴ）、テキストデータマネージャー（ＴＸＴ＿ＭＧ）、マニュファクチャーズインフォメーションテーブル（ＭＮＦＩＴ）を含む。
【００２６】
ＡＶＦＩＴは、ＡＶＦＩＴインフォメーション（ＡＶＦＩＴＩ）、ＡＯＢストリームインフォメーション（ＡＯＢ＿ＳＴＩ）、ＡＶインフォメーションテーブル（ＡＶＦＩ）を含む。
【００２７】
ＡＯＢ＿ＳＴＩは、ビデオアトリビュート（Ｖ＿ＡＴＲ）、オーディオアトリビュート（Ａ＿ＡＴＲ）を含む。
【００２８】
Ａ＿ＡＴＲは、オーディオ圧縮モード、サンプリング周波数、サンプリングビット幅、チャンネル数、ビットレートなどの情報を含む。オーディオ圧縮モードとしては、ＡＣ３、ＭＰＥＧ１、ＭＰＥＧ２、ＬＰＣＭなどがある。サンプリング周波数としては、４８ＫＨｚ、９６ＫＨｚ、１９２ＫＨｚ、４４．１ＫＨｚ、８８．２ＫＨｚ、１７６．４ＫＨｚなどがある。サンプリングビット幅としては、１６ビット、２０ビット、２４ビットなどがある。チャンネル数としては、ＭＯＮＯ、ＳＴＥＲＥＯ、６ｃｈ、ＤＵＡＬ ＭＯＮＯなどがある。ビットレートとしては、６４ｋｂｐｓ、８０ｋｂｐｓ、９６ｋｂｐｓ、１１２ｋｂｐｓ、１２８ｋｂｐｓ、１６０ｋｂｐｓ、１９２ｋｂｐｓ、２２４ｋｂｐｓ、２５６ｋｂｐｓ、３２０ｋｂｐｓ、３８４ｋｂｐｓ、４４８ｋｂｐｓ、７６８ｋｂｐｓ、１５３６ｋｂｐｓなどがある。ＤＶＤ再生時には、オーディオデコード部２４は、Ａ＿ＡＴＲに含まれる情報に基づき、各種初期設定を行なう。
【００２９】
図５は、ＬＰＣＭのパック構造を示す図である。図５に示すように、ＬＰＣＭの１パックは、２０４８バイトで構成されている。ＬＰＣＭの１パックは、パックヘッダ、パケットヘッダ、サブストリームＩＤ、オーディオフレームインフォメーション、オーディオデータインフォメーション、オーディオデータを含む。オーディオフレームインフォメーションは、フレームヘッダの数、ファーストアクセスポインターの情報を含む。オーディオデータインフォメーションは、エンファシスフラグ、ミュートフラグ、フレーム数、サンプリングビット幅、サンプリング周波数、チャンネル数の情報を含む。
【００３０】
図６は、ＡＣ３のパック構造を示す図である。図６に示すように、ＡＣ３の１パックは、２０４８バイトで構成されている。ＡＣ３の１パックは、パックヘッダ、パケットヘッダ、サブストリームＩＤ、オーディオフレームインフォメーション、オーディオデータを含む。オーディオフレームインフォメーションは、フレームヘッダの数、ファーストアクセスポインターの情報を含む。
【００３１】
次に、図１を参照して、上記説明したＤＶＤに対して映像や音楽などの情報を記録したり、ＤＶＤからこれら情報を再生したりする情報記録再生装置について説する。図１は、この発明の一実施の形態に係る情報記録再生装置の概略構成を示すブロック図である。
【００３２】
図１に示すように、情報記録再生装置は、ＭＰＵ部１０、表示部１６、ＬＡＮ用Ｉ／Ｆ部１７、デジタル入力部１８、第１オーディオ属性情報検出部１９、デコーダ部２０、エンコーダ部３０、Ａ／Ｖ入力部４０、ＴＶチューナー部４１、ＳＴＣ部（Ｓｙｓｔｅｍ  Ｔｉｍｅ  Ｃｏｕｎｔｅｒ）４２、Ｄ−ＰＲＯ部４３、一時記憶部４４、ディスクドライブ部４５、キー入力部４６、Ｖミキシング部４７、フレームメモリ部４８、ビデオ出力用Ｄ／Ａ部４９、オーディオ出力用Ｄ／Ａ部５０、及びセレクタ部５１などを備えている。
【００３３】
ＭＰＵ部１０は、ワークＲＡＭ部１１、ＳＴＩ設定部１２、オーディオ属性情報設定部１３、第２オーディオ属性情報検出部１４、及びパック切り分け部１５などを備えている。さらに、ワークＲＡＭ部１１は、ＤＶＤから読み出したＡＭＧを保持するＡＭＧ保持部１１ａを備えている。ＳＴＩ設定部１２は、図４に示すＡＯＢ＿ＳＴＩの設定を制御する。オーディオ属性情報設定部１３は、オーディオ属性情報の設定を制御する。
【００３４】
エンコーダ部３０は、Ａ／Ｄ部３１、ビデオエンコード部３２、オーディオエンコード部３３、フォーマッタ部３５、バッファメモリ部３６、オーディオ信号選択部３７などを備えている。デコーダ部２０は、分離部２１、ビデオデコード部２２、ＳＰデコード部２３、オーディオデコード部２４、及びＶ−ＰＲＯ部２５などを備えている。
【００３５】
ＡＶ信号の流れは、次のようになる。Ａ／Ｖ入力部４０又はＴＶチューナー部４１を介して入力されたＡＶ信号は、Ａ／Ｄ部３１でデジタル変換される。デジタル変換されたＡＶ信号に含まれるビデオ信号は、ビデオエンコード部３２へ入力される。デジタル変換されたＡＶ信号に含まれるオーディオ信号は、オーディオ信号選択部３７により選択されたとき、オーディオエンコード部３３へ入力される。或いは、デジタル入力部１８を介して入力された入力データ（オーディオ信号）は、オーディオ信号選択部３７により選択されたとき、オーディオエンコード部３３へ入力される。
【００３６】
ビデオエンコード部３２は、ビデオ信号をＭＰＥＧ圧縮しパケット化する。オーディオエンコード部３３は、オーディオ信号をＡＣ３圧縮またはＭＰＥＧオーディオ圧縮しパケット化する。ビデオエンコード部３２は、パケット化したビデオデータをフォーマッタ部３５へ入力する。同様に、オーディオエンコード部３３は、パケット化したオーディオデータをフォーマッタ部３５へ入力する。なお、圧縮データをパック化した場合に２０４８バイトになるように、圧縮データはパケット化されている。フォーマッタ部３５は、各パケットデータをパック化し、さらに多重化し、Ｄ−ＰＲＯ部４３へ転送する。
【００３７】
また、ＬＡＮ用Ｉ／Ｆ部１７を介して入力された入力データ（オーディオ信号）が、ＤＶＤ−ＡＲのデータフォーマットに準じたパック形式のデータであれば、入力されたオーディオ信号はそのままＤ−ＰＲＯ部４３へ転送される。入力されたオーディオ信号が、ＤＶＤ−ＡＲのデータフォーマットに準じたパック形式のデータでなければ、入力されたオーディオ信号はパック切り分け部１５によりパック形式に変換され、Ｄ−ＰＲＯ部４３へ転送される。  Ｄ−ＰＲＯ部４３は、１６パック毎に２重にエラー訂正コードを付加し、ＥＣＣ（Ｅｒｒｏｒ  Ｃｏｒｒｅｃｔｉｏｎ  Ｃｏｄｅ）ブロックを形成する。このＤ−ＰＲＯ部４３で生成されたＥＣＣブロックのデータは、ディスクドライブ部４５によりディスクに記録される。
【００３８】
ここで、ディスクドライブ部４５がシーク中やトラックジャンプなどの場合のためビジィー状態の場合には、記録対象のデータは一時記憶部４４へ入れられ、ディスクドライブ部４５の準備ができるまで待つこととなる。
【００３９】
続いて、第１オーディオ属性情報検出部１９及び第２オーディオ属性情報検出部１４によるオーディオ属性情報の検出、及び検出されたオーディオ属性情報の配置について説明する。第１オーディオ属性情報検出部１９は、デジタル入力部１８を介して入力された入力データからオーディオ属性情報を検出する。第２オーディオ属性情報検出部１４は、ＬＡＮ用Ｉ／Ｆ部１７を介して入力された入力データからオーディオ属性情報を検出する。オーディオ属性情報とは、圧縮方式、サンプリング周波数、サンプリングビット幅などの情報である。
【００４０】
オーディオエンコード部３３は、ディスク上の管理ファイル内にオーディオ属性情報を配置する。つまり、オーディオエンコード部３３は、ＡＲ＿ＭＡＮＧＲ．ＩＦＯ内にオーディオ属性情報を配置する。具体的に説明すると、オーディオエンコード部３３は、ＡＲ＿ＭＡＮＧＲ．ＩＦＯに含まれるＡＯＢ＿ＳＴＩの中のＡ＿ＡＴＲ内にオーディオ属性情報を配置する。
【００４１】
或いは、フォーマッタ部３５は、ディスク上のオーディオファイル内にオーディオ属性情報を配置する。つまり、フォーマッタ部３５は、ＡＲ＿ＡＵＤＩＯ．ＡＲＯ内にオーディオ属性情報を配置する。具体的に説明すると、フォーマッタ部３５は、ＡＲ＿ＡＵＤＩＯ．ＡＲＯに含まれるＡＯＢＵの中のＡＰＡＣＫ内にオーディオ情報と共にオーディオ属性情報を配置する。
【００４２】
次に、図７に示すフローチャートを参照して、図１に示す情報記録再生装置によるＤＶＤ−ＲＡＭに対するオーディオデータの記録処理について説明する。
【００４３】
データ記録時に、以下の処理を行なう。
【００４４】
ＳＴ１：ＤＶＤ−ＲＡＭのファイルシステムを読み込む。このとき、ＤＶＤ−ＲＡＭのファイルシステムをチェックし、ファイルシステムが無い場合にはファイルシステムを構築する。
【００４５】
ＳＴ２〜ＳＴ３：ＤＶＤ−ＲＡＭの空き容量が無い場合には、“記録スペースがありません”等の案内が表示される。
【００４６】
ＳＴ４：記録前処理を実行する。つまり、ＤＶＤ−ＲＡＭのディレクトリをチェックし、ＡＵＤＩＯ＿ＲＴＲのディレクトリが無い場合には、ＡＵＤＩＯ＿ＲＴＲのディレクトリを作成する。ＤＶＤ−ＲＡＭのＡＵＤＩＯ＿ＲＴＲのディレクトリかＲＴＲ＿ＡＭＧＩを読み出す。ＲＴＲ＿ＡＭＧＩが無い場合にはＲＴＲ＿ＡＭＧＩを発生させ、ＡＭＧＩテーブルを構築する。
【００４７】
ＳＴ５：記録用初期設定が行なわれる。
【００４８】
ＳＴ６：記録開始設定が行なわれる。
【００４９】
ＳＴ７：ＳＴＩ設定処理が行なわれる。第１オーディオ属性情報検出部１９及び第２オーディオ属性情報検出部１４により検出されたオーディオ属性情報に基づき、ＳＴＩが設定される。つまり、検出されたオーディオ属性情報に基づき、ＡＲ＿ＭＡＮＧＲ．ＩＦＯに含まれるＡＯＢ＿ＳＴＩの中のＡ＿ＡＴＲ内にオーディオ属性情報が配置される。或いは、ＡＲ＿ＡＵＤＩＯ．ＡＲＯに含まれるＡＯＢＵの中のＡＰＡＣＫ内にオーディオ情報と共にオーディオ属性情報が配置される。
【００５０】
ＳＴ８：エンコードデータが１ＣＤＡ分たまった場合、ＤＶＤ−ＲＡＭの空き領域に記録するように、ディスクドライブ部４５に設定し、記録先のセクタのリンク情報をワークＲＡＭ部１１に保存する。エンコードデータが１ＣＤＡ分たまっていない場合は、たまるまで処理を繰り返す。
【００５１】
ＳＴ９：ディスクドライブ部４５に対して、書き込みアドレス、書き込み長を決定し、書き込み命令を発行する。
【００５２】
ＳＴ１０：記録終了命令が出るまで、ＳＴ８〜ＳＴ９の処理を継続する。
【００５３】
ＳＴ１１：記録終了処理を行う。リンク情報に基づきＤＶＤ−ＲＡＭのファイルシステムを更新する。ＡＭＧＩに基づきＡＭＧを更新し、ＤＶＤ−ＲＡＭにＡＭＧを記録する。ＡＭＧの更新により、新たに設定されたＡＯＢ＿ＳＴＩがＤＶＤ−ＲＡＭに記録されることになる。
【００５４】
次に、図８に示すフローチャートを参照して、図１に示す情報記録再生装置によるＡＯＢ＿ＳＴＩの設定処理について説明する。
【００５５】
ＳＴ２１：記録開始に伴い入力される入力データをチェックする。
【００５６】
ＳＴ２２：第１オーディオ属性情報検出部１９又は第２オーディオ属性情報検出部１４は、入力される入力データからオーディオ属性情報を検出する。つまり、サンプリング周波数、サンプリングビット幅、圧縮方式、チャンネル数等の情報を取り込む。
【００５７】
ＳＴ２３：サンプリング周波数、サンプリングビット幅、圧縮方式、チャンネル数等の情報をＡＯＢ＿ＳＴＩに設定する。
【００５８】
ＳＴ２４：サンプリング周波数、サンプリングビット幅、圧縮方式の情報をオーディオエンコード部３３に設定する。これにより、オーディオエンコード部３３は、パケット内にオーディオ属性情報としてサンプリング周波数、サンプリングビット幅、圧縮方式の情報を記録する。
【００５９】
次に、図９を参照して、第１オーディオ属性情報検出部１９について説明する。図９は、第１オーディオ属性情報検出部１９の概略構成、及び第１オーディオ属性情報検出部１９の概略動作を示す図である。図９に示すように、第１オーディオ属性情報検出部１９は、カウンタ１９ａ、ラッチ部１９ｂ、比較部１９ｃを備えている。デジタル入力部１８を介して入力された入力データ（ＩＩＳ）は、左右データ切り換え信号であるＬＲクロック（ＬＲＣＫ）を含む。内部で発生されるマスタークロック（ＭＣＫ）及びＬＲＣＫは、カウンタ１９ａに入力される。カウンタ１９ａ及びラッチ部１９ｂは、ＭＣＫに基づきＬＲＣＫのハイ（Ｈ）の区間又はロー（Ｌ）の区間をカウントする。つまり、カウンタ１９ａ及びラッチ部１９ｂは、ＬＲＣＫの半周期の長さを検出する。カウンタ１９ａ及びラッチ部１９ｂによるカウント結果（ＬＲＣＫの半周期の長さ）は、ＭＰＵ部１０へ通知される。ＭＰＵ部１０は、カウント結果からサンプリング周波数を検出する。また、比較部１９ｃは、ＬＲＣＫのある半周期の長さと、このある半周期の後続の半周期の長さとを比較する。両者の長さが、所定長以上異なる場合は（２クロック以上異なる場合は）、ＭＰＵ部１０に対して割り込みによりその旨を通知する。
【００６０】
次に、図１０を参照して、第２オーディオ属性情報検出部１４によるオーディオ属性情報の検出について説明する。図１０は、ＬＡＮ用Ｉ／Ｆ部１７を介して入力される入力データのデータフォーマットの一例を示す図である。この入力データは、例えば、インターネット経由でホームページなどから獲得されるデータである。図１０に示すように、入力データは、オーディオ属性情報（圧縮方式、サンプリング周波数、サンプリングビット幅などの情報）及びオーディオデータを含む。第２オーディオ属性情報検出部１４は、入力データに含まれるオーディオ属性情報を検出する。
【００６１】
次に、図１１を参照して、ＬＡＮ用Ｉ／Ｆ部１７を介して入力される入力データの記録処理について説明する。
【００６２】
ＳＴ３１：ＬＡＮ用Ｉ／Ｆ部１７を介して、ホームページ等から図１０に示すようなデータフォーマットの入力データをワークＲＡＭ部１１に取り込む。
【００６３】
ＳＴ３２：第２オーディオ属性情報検出部１４がワークＲＡＭ部１１に取り込まれた入力データからオーディオ属性情報を検出する。検出されたオーディオ属性情報に含まれる圧縮方式、サンプリング周波数、サンプリングビット幅、チャンネル数などを獲得する。
【００６４】
ＳＴ３３：圧縮方式、サンプリング周波数、サンプリングビット幅、チャンネル数等の情報をＡＯＢ＿ＳＴＩに設定する。
【００６５】
ＳＴ３４：ワークＲＡＭ部１１に取り込まれた入力データが、パック形式のデータか否かを調べる。
【００６６】
ＳＴ３５：ＳＴ３４において入力データがパック形式でないことが判明すれば、入力データをパック形式に変換する。つまり、パックヘッダ及びパケットヘッダを作成し、２０４８バイトの１パックを生成する。
【００６７】
ＳＴ３６：ＳＴ３４において入力データがパック形式であることが判明すれば、或いはＳＴ３５においてパック形式のデータが生成されれば、ＤＶＤ−ＲＡＭに対してデータを保存する。ＤＶＤ−ＲＡＭ中のＡＲ＿ＡＵＤＩＯ．ＡＲＯに対して、入力データに含まれていたオーディオデータを記録する。
【００６８】
ＳＴ３７：入力データに従い、ＰＧＣＩを作成し、ＲＴＲ＿ＡＭＧＩを完成させる。
【００６９】
ＳＴ３８：ＤＶＤ−ＲＡＭ中のＡＲ＿ＭＡＮＧＲ．ＩＦＯのファイルに対してＲＴＲ＿ＡＭＧＩを記録する。
【００７０】
以上説明したように、この発明の情報記録再生装置は、高品位のオーディオデータをＤＶＤ−ＡＲ規格に対応させてＤＶＤに記録することができる。
【００７１】
なお、本願発明は、上記実施形態に限定されるものではなく、実施段階ではその要旨を逸脱しない範囲で種々に変形することが可能である。また、各実施形態は可能な限り適宜組み合わせて実施してもよく、その場合組み合わせた効果が得られる。更に、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【００７２】
【発明の効果】
この発明によれば、高音質の入力信号をＤＶＤに記録することが可能な情報記録装置及び情報再生装置を提供できる。
【図面の簡単な説明】
【図１】この発明の一実施の形態に係る情報記録再生装置の概略構成を示すブロック図である。
【図２】ＤＶＤ中に構築されるディレクトリ構造の一例を示す図である。
【図３】図２に示すＡＲ＿ＡＵＤＩＯ．ＡＲＯに含まれるＡＯＢＳのデータ構造の概略を示す図である。
【図４】図２に示すＡＲ＿ＭＡＮＧＲ．ＩＦＯのデータ構造の概略を示す図である。
【図５】ＬＰＣＭのパック構造を示す図である。
【図６】ＡＣ３のパック構造を示す図である。
【図７】図１に示す情報記録再生装置によるＤＶＤに対するオーディオデータの記録処理を説明するためのフローチャートである。
【図８】図１に示す情報記録再生装置によるＡＯＢ＿ＳＴＩの設定処理について説明する。
【図９】第１オーディオ属性情報検出部の構成及び動作の一例を示す図である。
【図１０】ＬＡＮ用Ｉ／Ｆ部を介して入力される入力データのデータフォーマットの一例を示す図である。
【図１１】ＬＡＮ用Ｉ／Ｆ部を介して入力される入力データの記録処理を説明するためのフローチャートである。
【符号の説明】
１０…ＭＰＵ部、
１１…ワークＲＡＭ部
１２…ＳＴＩ設定部
１３…オーディオ属性情報設定部
１４…第２オーディオ属性情報検出部
１５…パック切り分け部
１６…表示部
１７…ＬＡＮ用Ｉ／Ｆ部
１８…デジタル入力部
１９…第１オーディオ属性情報検出部
２０…デコーダ部
３０…エンコーダ部
４０…Ａ／Ｖ入力部
４１…ＴＶチューナー部
４２…ＳＴＣ部
４３…Ｄ−ＰＲＯ部
４４…一時記憶部
４５…ディスクドライブ部
４６…キー入力部
４７…Ｖミキシング部
４８…フレームメモリ部
４９…ＴＶ用Ｄ／Ａ部
５０…オーディオ用Ｄ／Ａ部
５１…セレクタ部
【図１】
0003727913.tif 000002
【図２】
0003727913.tif 000003
【図３】
0003727913.tif 000004
【図４】
0003727913.tif 000005
【図５】
0003727913.tif 000006
【図６】
0003727913.tif 000007
【図７】
0003727913.tif 000008
【図８】
0003727913.tif 000009
【図９】
0003727913.tif 000010
【図１０】
0003727913.tif 000011
【図１１】
0003727913.tif 000012